(57)【要約】【課題】移動体向けデジタル放送を表示する時間を短くし、固定向けデジタル放送を表示する時間を長くすること。【解決手段】移動体に搭載され、地上波デジタルテレビジョン放送を受信するデジタルテレビ受信機は、地上波デジタルテレビジョン放送の受信品質を測定する受信品質測定部と、測定された受信品質に基づいて、固定受信装置向けデジタル放送と移動体受信装置向けデジタル放送との間で、切り替えを行うことを判断する切り替え判断部と、切り替えを行うと判断された場合に、測定された受信品質に基づいて、受信品質に応じて予め決定された複数の切り替えを行うまでの時間から、切り替えを行うまでの時間を決定する切り替え時間決定部と、判断結果と、決定された切り替えを行うまでの時間に従って、固定受信装置向けデジタル放送と移動体受信装置向けデジタル放送との間で、切り替えを行う切り替え処理部とを有する。【選択図】図１
2010103724.tif 000002
【特許請求の範囲】
【請求項１】
移動体に搭載され、地上波デジタルテレビジョン放送を受信するデジタルテレビ受信機であって、
前記地上波デジタルテレビジョン放送は、固定受信装置向けデジタル放送と、移動体受信装置向けデジタル放送とを含み、
地上波デジタルテレビジョン放送の受信品質を測定する受信品質測定部と、
前記受信品質測定部により測定された受信品質に基づいて、固定受信装置向けデジタル放送と移動体受信装置向けデジタル放送との間で、切り替えを行うことを判断する切り替え判断部と、
前記切り替え判断部により切り替えを行うと判断された場合に、前記受信品質測定部により測定された受信品質に基づいて、受信品質に応じて予め決定された複数の切り替えを行うまでの時間から、切り替えを行うまでの時間を決定する切り替え時間決定部と、
前記切り替え判断部による判断結果及び前記切り替え時間決定部により決定された切り替えを行うまでの時間に従って、固定受信装置向けデジタル放送と移動体受信装置向けデジタル放送との間で、切り替えを行う切り替え処理部と
を有することを特徴とするデジタルテレビ受信機。
【請求項２】
請求項１に記載のデジタルテレビ受信機において、
前記切り替え時間決定部では、固定受信装置向けデジタル放送から移動体受信装置向けデジタル放送への切り替えを行う場合に、受信品質が悪いほど前記切り替えを行うまでの時間が短くなるように、複数の切り替えを行うまでの時間が予め決定されることを特徴とするデジタルテレビ受信機。
【請求項３】
請求項１に記載のデジタルテレビ受信機において、
前記切り替え時間決定部は、移動体受信装置向けデジタル放送から固定受信装置向けデジタル放送への切り替えを行う場合に、受信品質が悪いほど、前記切り替えを行うまでの時間が長くなるように、複数の切り替えを行うまでの時間が予め決定されることを特徴とするデジタルテレビ受信機。
【請求項４】
移動体に搭載され、地上波デジタルテレビジョン放送を受信するデジタルテレビ受信機におけるデジタル放送受信方法であって、
前記地上波デジタルテレビジョン放送は、固定受信装置向けデジタル放送と、移動体受信装置向けデジタル放送とを含み、
地上波デジタルテレビジョン放送の受信品質を測定する受信品質測定ステップと、
前記受信品質測定ステップにより測定された受信品質に基づいて、固定受信装置向けデジタル放送と移動体受信装置向けデジタル放送との間で、切り替えを行うことを判断する切り替え判断ステップと、
前記切り替え判断ステップにより切り替えを行うと判断された場合に、前記受信品質測定ステップにより測定された受信品質に基づいて、受信品質に応じて予め決定された複数の切り替えを行うまでの時間から、切り替えを行うまでの時間を決定する切り替え時間決定ステップと、
前記切り替え判断ステップによる判断結果及び前記切り替え時間決定ステップにより決定された切り替えを行うまでの時間に従って、固定受信装置向けデジタル放送と移動体受信装置向けデジタル放送との間で、切り替えを行う切り替え処理ステップと
を有することを特徴とするデジタル放送受信方法。
【発明の詳細な説明】
【技術分野】
【０００１】
本発明は、移動体用デジタル放送受信装置に係り、特に、固定受信装置向けデジタル放送と移動体受信装置向けデジタル放送とを適宜選択して利用者に対して出力するデジタルテレビ受信機及びデジタル放送受信方法に関する。
【背景技術】
【０００２】
車両などの移動体に搭載され、地上波デジタルテレビジョン放送としての、鮮明画像の提供が可能な高ビットレートの固定受信装置向けデジタル放送と、移動体での受信に適した低ビットレートの移動体受信装置向けデジタル放送と、を共に受信し得るデジタルテレビ放送受信機が知られている。
【０００３】
移動体受信装置向けデジタル放送は、固定受信装置向けデジタル放送に比べてデータ量が小さいため、相対的に映像・音声の質の低下を招かざるを得ない。一方、固定受信装置向けデジタル放送は、映像・音声の質を極めて高く保つことはできるが、移動体受信装置向けデジタル放送に比べて非受信となる受信レベルが高いため、移動体の移動中における受信に対して不向きである。そこで、従来の受信装置においては、移動速度や環境などの状況によっては移動体でも相対的に高品位の固定受信装置向け放送を受信できる可能性があることを考慮して、同一番組を放送するサイマル放送が行われる状況で、受信・出力する放送が固定受信装置向けデジタル放送と移動体受信装置向けデジタル放送とで適宜選択的に切り替わるようにしている。
【０００４】
受信・出力する放送の切り替えは、以下の条件で行われる。例えば、固定受信装置向けデジタル放送から移動体受信装置向けデジタル放送への切り替えは、受信状態が悪くなってから所定の時間が経過した場合に行われる。また、例えば、移動体受信装置向けデジタル放送から固定受信装置向けデジタル放送への切り替えは、受信状態が良くなってから所定の時間が経過した場合に行われる。
【特許文献１】特開２００７−２８２１８５号公報
【発明の開示】
【発明が解決しようとする課題】
【０００５】
しかしながら、上述した背景技術には以下の問題がある。
【０００６】
電界が高く、固定受信装置向けデジタル放送の受信状況が良い地域でも、ビルの陰や、並走車両の影響などにより、受信状況が少しの間悪化し、移動体受信装置向けデジタル放送に切り替わる場合がある。また、弱電界で、本当に固定受信装置向けデジタル放送の受信状況が悪くなったために、移動体受信装置向けデジタル放送に切り替わる場合がある。これらの場合に、再度固定受信装置向けデジタル放送への切り替えが行われる場合には、同じ時間固定受信装置向けデジタル放送の受信状況が良好となる必要がある。
【０００７】
通常、受信状況が良くなってから切り替えが行われるまでの時間は、固定受信装置向けデジタル放送と移動体受信装置向けデジタル放送との間で切り替えが頻繁に生じることを防止するため、固定受信装置向けデジタル放送に切り替えることができる受信状況となってからある程度の時間継続した場合に、固定受信装置向けデジタル放送への切り替えが行われるように設定される。このため、電界が強く、固定受信装置向けデジタル放送の受信状況が良い地域でも、一旦、移動体受信装置向けデジタル放送に切り替わってしまうと、容易には固定受信装置向けデジタル放送に切り替わらず、しばらくの間移動体受信装置向けデジタル放送を見なければならなくなる。
【０００８】
そこで、本発明は、上述の問題点のうち少なくとも１つを解決するためになされたものであり、移動体受信装置向けデジタル放送を表示する時間を短くし、固定受信装置向けデジタル放送を表示する時間を長くすることができるデジタルテレビ受信機及びデジタル放送受信方法を提供することを目的とする。
【課題を解決するための手段】
【０００９】
上記課題を解決するため、本デジタルテレビ受信機は、
移動体に搭載され、地上波デジタルテレビジョン放送を受信するデジタルテレビ受信機であって、
前記地上波デジタルテレビジョン放送は、固定受信装置向けデジタル放送と、移動体受信装置向けデジタル放送とを含み、
地上波デジタルテレビジョン放送の受信品質を測定する受信品質測定部と、
前記受信品質測定部により測定された受信品質に基づいて、固定受信装置向けデジタル放送と移動体受信装置向けデジタル放送との間で、切り替えを行うことを判断する切り替え判断部と、
前記切り替え判断部により切り替えを行うと判断された場合に、前記受信品質測定部により測定された受信品質に基づいて、受信品質に応じて予め決定された複数の切り替えを行うまでの時間から、切り替えを行うまでの時間を決定する切り替え時間決定部と、
前記切り替え判断部による判断結果及び前記切り替え時間決定部により決定された切り替えを行うまでの時間に従って、固定受信装置向けデジタル放送と移動体受信装置向けデジタル放送との間で、切り替えを行う切り替え処理部と
を有する。
【００１０】
他の構成では、
前記切り替え時間決定部では、固定受信装置向けデジタル放送から移動体受信装置向けデジタル放送への切り替えを行う場合に、受信品質が悪いほど前記切り替えを行うまでの時間が短くなるように、複数の切り替えを行うまでの時間が予め決定される。
【００１１】
他の構成では、
前記切り替え時間決定部は、移動体受信装置向けデジタル放送から固定受信装置向けデジタル放送への切り替えを行う場合に、受信品質が悪いほど、前記切り替えを行うまでの時間が長くなるように、複数の切り替えを行うまでの時間が予め決定される。
【００１２】
本デジタル放送受信方法は、
移動体に搭載され、地上波デジタルテレビジョン放送を受信するデジタルテレビ受信機におけるデジタル放送受信方法であって、
前記地上波デジタルテレビジョン放送は、固定受信装置向けデジタル放送と、移動体受信装置向けデジタル放送とを含み、
地上波デジタルテレビジョン放送の受信品質を測定する受信品質測定ステップと、
前記受信品質測定ステップにより測定された受信品質に基づいて、固定受信装置向けデジタル放送と移動体受信装置向けデジタル放送との間で、切り替えを行うことを判断する切り替え判断ステップと、
前記切り替え判断ステップにより切り替えを行うと判断された場合に、前記受信品質測定ステップにより測定された受信品質に基づいて、受信品質に応じて予め決定された複数の切り替えを行うまでの時間から、切り替えを行うまでの時間を決定する切り替え時間決定ステップと、
前記切り替え判断ステップによる判断結果及び前記切り替え時間決定ステップにより決定された切り替えを行うまでの時間に従って、固定受信装置向けデジタル放送と移動体受信装置向けデジタル放送との間で、切り替えを行う切り替え処理ステップと
を有する。
【発明の効果】
【００１３】
開示のデジタルテレビ受信機及びデジタル放送受信方法によれば、移動体受信装置向けデジタル放送を表示する時間を短くし、固定受信装置向けデジタル放送を表示する時間を長くすることができる。
【発明を実施するための最良の形態】
【００１４】
次に、本発明を実施するための最良の形態を、以下の実施例に基づき図面を参照しつつ説明する。
【００１５】
なお、実施例を説明するための全図において、同一機能を有するものは同一符号を用い、繰り返しの説明は省略する。
【００１６】
本実施例に係るデジタルテレビ受信機について、図１を参照して説明する。
【００１７】
本実施例に係るデジタルテレビ受信機１００は、移動体に搭載され、各放送局から中継局等を介して送信される地上波デジタルテレビジョン(DTV:  Digital  Television)放送を受信する。移動体には、車両、自動二輪車、列車、船舶、航空機、ロボットなど、人の移動に伴い移動する携帯端末などの情報端末などが含まれてもよい。
【００１８】
地上波デジタルＴＶ放送では、各放送局に割り当てられた伝送帯域が複数のセグメントに分割され、１つ以上のセグメントで構成される階層を複数同時に伝送する階層伝送が行われる。階層伝送では、階層を構成するセグメント数が多いほど、高解像度の映像を伝送できるが、車両等において移動中にデータ誤り無く受信するのは困難になる。そこで、例えば、日本が準拠しているISDB-T(Integrated  Services  Digital  Broadcasting for  Terrestrial)方式では、１チャネルのデジタル放送用帯域を１３個のセグメントに分割し、その中の１２個のセグメントを使用して固定受信装置向けに高解像度の映像を提供し、残りの１個のセグメントを使用して移動体受信装置向けに伝送誤りに対する耐性の高い伝送方式による低解像度の映像を提供する。
【００１９】
１２個のセグメントを使用した固定受信装置向けのデジタル放送（以下、固定向けデジタル放送と呼ぶ）は、例えばMPEG-2により圧縮され符号化された高ビットレートの放送であり、１個のセグメントを使用した移動体受信装置向けのデジタル放送（以下、移動体向けデジタル放送と呼ぶ）は、例えばMPEG-4により圧縮され符号化された低ビットレートの放送である。
【００２０】
固定向けデジタル放送は、高ビットレートのため、映像・音声の質が極めて優れている。一方、移動体向けデジタル放送は、低ビットレートのため、映像・音声の質が相対的に劣る。また、固定向けデジタル放送は、高ビットレートに起因して移動時にフェージング等による受信電力の変動が生じるため或いは非受信となる受信レベルが高いため、移動体の移動中における受信に対して不向きである。一方、移動体向けデジタル放送は、低ビットレートのため、移動体での受信に適している。
【００２１】
本実施例に係るデジタルテレビ受信機１００は、固定向けデジタル放送と移動体向けデジタル放送との間で受信切り替えを行う場合に、該切り替え時間を、受信電界強度に基づいて制御する。ここで、切り替え時間とは、例えば、固定向けデジタル放送から移動体向けデジタル放送への切り替えが行われる場合には、受信電界強度が悪くなってから（受信電界強度が、固定向けデジタル放送に切り替える閾値未満になってから）、実際に移動体向けデジタル放送へ切り替えが行われるまでの時間をいう。また、例えば、切り替え時間とは、例えば、移動体向けデジタル放送から固定向けデジタル放送への切り替えが行われる場合には、受信電界強度が良くなってから（受信電界強度が、固定向けデジタル放送に切り替える閾値以上になってから）、実際に固定向けデジタル放送へ切り替えが行われるまでの時間をいう。
【００２２】
具体的には、固定向けデジタル放送から移動体向けデジタル放送への受信切り替えを行う場合には、電界強度が低くなるに従って、固定向けデジタル放送から移動体向けデジタル放送へ切り替える時間を短くし、電界強度が高くなるに従って、固定向けデジタル放送から移動体向けデジタル放送へ切り替える時間を長くする。固定向けデジタル放送から移動体向けデジタル放送への受信切替を行う場合には、電界強度が低くなるに従って、固定向けデジタル放送から移動体向けデジタル放送へ切り替える時間を短くした方が、受信状態の悪い固定向けデジタル放送を表示することによる、視聴者に対して与える不快感を軽減できるためである。また、固定向けデジタル放送から移動体向けデジタル放送への受信切り替えを行う場合には、電界強度が高くなるに従って、固定向けデジタル放送から移動体向けデジタル放送へ切り替える時間を短くした方が、一時的に電界強度が低下したために移動体向けデジタル放送へ切り替えが行われた場合に、固定向けデジタル放送に早く切り替えた方が映像・音声の質を極めて高く保つことができるためである。
【００２３】
また、移動体向けデジタル放送から固定向けデジタル放送への受信切替を行う場合には、電界強度が高くなるに従って、移動体向けデジタル放送から固定向けデジタル放送へ切り替える時間を短くし、電界強度が低くなるに従って、移動体向けデジタル放送から固定向けデジタル放送へ切り替える時間を長くする。移動体向けデジタル放送から固定向けデジタル放送への受信切替を行う場合には、電界強度が高くなるに従って、移動体向けデジタル放送から固定向けデジタル放送へ切り替える時間を短くした方が、映像・音声の質が高い固定向けデジタル放送に早く切り替えることができるためである。また、移動体向けデジタル放送から固定向けデジタル放送への受信切替を行う場合には、電界強度が低くなるに従って、移動体向けデジタル放送から固定向けデジタル放送へ切り替える時間を長くした方が、一時的に電界強度が高くなったことにより固定向けデジタル放送へ切り替えられた場合に、受信状態の悪い固定向けデジタル放送が放送され続けることを防止できる。
【００２４】
以上は、一例であり適宜設定可能である。
【００２５】
これまでのデジタルテレビ受信機では、固定向けデジタル放送と移動体向けデジタル放送との間で切り替えが行われる際の切り替え時間を動的に変更することは行われていない。すなわち、切り替え時間は１種類である。また、弱電界などの電界の悪い地域を対象に切り替え時間の設定値を決定する必要があるため、固定向けデジタル放送と移動体向けデジタル放送との間で切り替えが行われる際の切り替え時間は長く設定される傾向がある。
【００２６】
本実施例に係るデジタルテレビ受信機では、固定向けデジタル放送と移動体向けデジタル放送との間で切り替えが行われる際の切り替え時間を受信電界強度に応じて変更できるため、固定向けデジタル放送を表示する時間をできるだけ長くすることができる。
【００２７】
デジタルテレビ受信機１００は、電界測定部１０２と、デジタル放送受信部１０４と、コントロール部１０６とを有する。
【００２８】
電界測定部１０２は、当該デジタルテレビ受信機１００の周囲の電界を測定する。例えば、電界測定部１０２は、選曲されたチャンネル（チャネル）のチャンネル周波数に同調し、アンテナにより受信された地上波デジタルテレビジョン放送の放送波を中間周波数に変換し増幅する。そして、電界測定部１０２は、中間周波数の信号レベルを検出し、該信号レベルに基づいて放送波の受信電界強度を検出し、検出結果をコントロール部１０６に入力する。電界測定部１０２は、放送波をデジタル放送受信部１０４に入力する。
【００２９】
コントロール部１０６は、受信電界強度に応じて、固定向けデジタル放送と移動体向けデジタル放送との間で切り替えを行うかを判断する。例えば、コントロール部１０６は、固定向けデジタル放送が出力されている場合に、電界測定部１０２により入力された受信電界強度に基づいて、該受信電界強度が固定向けデジタル放送へ切り替える閾値以上である場合に固定向けデジタル放送を継続して出力すると判断する。一方、コントロール部１０６は電界測定部１０２により入力された受信電界強度に基づいて、該受信電界強度が固定向けデジタル放送へ切り替える閾値未満である場合に移動体向けデジタル放送に切り替えると判断する。移動体向けデジタル放送が出力されている場合についても同様である。ここで、固定向けデジタル放送へ切り替える受信電界強度の閾値は、予め決定されても良い。また、該閾値は、変更可能である。例えば、ナビゲーションシステムにより測定された現在位置に応じて変更されても良い。
【００３０】
また、コントロール部１０６は、固定向けデジタル放送と移動体向けデジタル放送との間で切り替えを行うと判断した場合に、受信電界強度に応じて、切り替えを行うまでの時間を決定する。例えば、コントロール部１０６は、受信状況が悪化した場合における固定向けデジタル放送から移動体向けデジタル放送へ切り替えが行われる場合の複数の切り替え時間と、受信状況が良くなった場合における移動体向けデジタル放送から固定向けデジタル放送へ切り替えが行われる場合の複数の切り替え時間を記憶する。該複数の切り替え時間は、テーブルの形式で記憶されてもよいし、受信電界強度を変数とした変換式であってもよい。例えば、図２に示すように、テーブルやマップに形式で記憶される場合には、受信電界強度が良い（高い）状況から悪い（低い）状況になるに従って、固定向けデジタル放送から移動体向けデジタル放送への切り替え時間は長い時間から短い時間になり、移動体向けデジタル放送から固定向けデジタル放送への切り替え時間は短い時間から長い時間になる。これは、一例であり適宜設定可能である。具体的な受信電界強度については、その値が予め決定されても良い。また、該受信電界強度の値は、変更可能である。例えば、ナビゲーションシステムにより測定された現在位置に応じて変更されても良い。また、ソフトウエアにより設定するようにしてもよい。
【００３１】
コントロール部１０６は、周期的に入力される受信電界強度に基づいて、固定向けデジタル放送と移動体向けデジタル放送との間で切り替えを行うかを判断し、切り替えを行うと判断した場合に、切り替えを行うまでの時間を決定する。コントロール部１０６は、切り替えを行うことを示す情報及び決定した切り替えを行うまでの時間をデジタル放送受信部１０４に入力する。
【００３２】
デジタル放送受信部１０４は、コントロール部１０６により入力された切り替えを行うことを示す情報及び決定した切り替えを行うまでの時間に従って、固定向けデジタル放送と移動体向けデジタル放送との間で切り替える。
【００３３】
デジタル放送受信部１０４は、電界測定部１０２により入力された放送波の復調及び復号を行う。デジタル放送受信部１０４は、放送信号を同期しながら復調し、誤り検出及び訂正を行った後に復号したトランスポートストリーム（TS:  Transport  Stream）を生成する。そして、デジタル放送受信部１０４は、コントロール部１０６により、固定向けデジタル放送に切り換えることを示す情報が入力された場合、切り替えを行うまでの時間の経過後、地上波デジタルテレビジョン放送のうち固定向けデジタル放送に関する放送信号をデコード（復号）し、復号された映像・音声信号を表示部１００へ入力する。例えば、デジタル放送受信部１０４は、ＴＳを映像・音声信号に変換する。
【００３４】
また、デジタル放送受信部１０４は、コントロール部１０６により、移動体向けデジタル放送に切り換えることを示す情報が入力された場合、切り替えを行うまでの時間の経過後、地上波デジタルテレビジョン放送のうち移動体向けデジタル放送に関する放送信号をデコードし、復号された映像・音声信号をデコード（復号）し、復号された映像・音声信号を表示部１００へ入力する。例えば、デジタル放送受信部１０４は、ＴＳを映像・音声信号に変換する。
【００３５】
表示部２００は、車両に乗車する乗員に視聴可能なディスプレイやスピーカを有する。例えば、ナビゲーションシステムのディスプレイにより構成してもよい。表示部２００は、固定向けデジタル放送又は移動体向けデジタル放送の映像・音声信号を映像として表示したり或いは音声として出力したりする。
【００３６】
次に、本実施例に係るデジタルテレビ受信機１００の動作について、図３を参照して説明する。
【００３７】
デジタルテレビ受信機１００は、受信品質（受信電界強度）を測定する（ステップＳ３０２）。例えば、電界測定部１０２は、アンテナに受信された地上波デジタルテレビジョン放送の受信電界強度を測定する。
【００３８】
デジタルテレビ受信機１００は、固定向けデジタル放送を表示中であるかを判断する（ステップＳ３０４）。例えば、コントロール部１０６は、現在表示部２００に表示されている地上波デジタルテレビジョン放送の放送波が固定向けデジタル放送であるかを判断する。
【００３９】
固定向けデジタル放送であると判断された場合（ステップＳ３０４：ＹＥＳ）、デジタルテレビ受信機１００は、ステップＳ３０２により測定された受信電界強度が固定向けデジタル放送へ切り替える受信電界強度の閾値以上であるかを判断する（ステップＳ３０６）。例えば、コントロール部１０６は、電界測定部１０２により測定された受信電界強度が固定向けデジタル放送へ切り替える受信電界強度の閾値以上であるかを判断する。
【００４０】
受信電界強度が固定向けデジタル放送へ切り替える受信電界強度の閾値以上であると判断された場合（ステップＳ３０６：ＹＥＳ）、デジタルテレビ受信機１００は、固定向けデジタル放送を継続して表示すると判断する。そして、ステップＳ３０２に戻る。
【００４１】
一方、ステップＳ３０６により、受信電界強度が固定向けデジタル放送へ切り替える受信電界強度の閾値未満であると判断された場合（ステップＳ３０６：ＮＯ）、デジタルテレビ受信機１００は、固定向けデジタル放送から移動体向けデジタル放送に切り替えると判断する。例えば、コントロール部１０６は、電界測定部１０２により入力された受信電界強度が固定向けデジタル放送へ切り替える受信電界強度の閾値未満である場合に、固定向けデジタル放送から移動体向けデジタル放送に切り替えると判断する。
【００４２】
デジタルテレビ受信機１００は、受信電界強度に基づいて、固定向けデジタル放送から移動体向けデジタル放送に切り替えるまでの時間を決定する（ステップＳ３１０）。例えば、コントロール部１０６は、受信電界強度に基づいて、図２を参照して説明したような切り替え時間テーブルを参照し、受信電界強度に応じて予め決定された複数の切り替えを行うまでの時間から、固定向けデジタル放送から移動体向けデジタル放送に切り替えるまでの時間を決定する。
【００４３】
デジタルテレビ受信機１００は、ステップＳ３１０により決定された固定向けデジタル放送から移動体向けデジタル放送に切り替えるまでの時間が経過した後に、固定向けデジタル放送から移動体向けデジタル放送に切り替える（ステップＳ３１２）。例えば、コントロール部１０６は、デジタル放送受信部１０４に、固定受信装置向けデジタル放送から移動体向けデジタル放送に切り替えることを示す切り替え情報と、切り替えるまでの時間とを入力する。デジタル放送受信部１０４は、入力された切り替え情報及び切り替えるまでの時間に従って、固定向けデジタル放送から移動体向けデジタル放送に切り替える。その後、ステップＳ３０２に戻る。
【００４４】
一方、ステップＳ３０４により、固定向けデジタル放送であると判断されない場合（ステップＳ３０４：ＮＯ）、すなわち移動体向けデジタル放送であると判断された場合、デジタルテレビ受信機１００は、ステップＳ３０２により測定された受信電界強度が固定向けデジタル放送へ切り替える受信電界強度の閾値以上であるかを判断する（ステップＳ３１４）。例えば、コントロール部１０６は、電界測定部１０２により測定された受信電界強度が固定向けデジタル放送へ切り替える受信電界強度の閾値以上であるかを判断する。
【００４５】
受信電界強度が固定向けデジタル放送へ切り替える受信電界強度の閾値以上であると判断された場合（ステップＳ３１４：ＹＥＳ）、デジタルテレビ受信機１００は、移動体向けデジタル放送から固定向けデジタル放送へ切り替えると判断する（ステップＳ３１６）。例えば、コントロール部１０６は、電界測定部１０２により入力された受信電界強度が固定向けデジタル放送へ切り替える受信電界強度の閾値以上である場合に、移動体向けデジタル放送から固定向けデジタル放送に切り替えると判断する。
【００４６】
デジタルテレビ受信機１００は、受信電界強度に基づいて、移動体向けデジタル放送から固定向けデジタル放送に切り替えるまでの時間を決定する（ステップＳ３１８）。例えば、コントロール部１０６は、受信電界強度に基づいて、図２を参照して説明したような切り替え時間テーブルを参照し、受信電界強度に応じて予め決定された複数の切り替えを行うまでの時間から、移動体向けデジタル放送から固定向けデジタル放送に切り替えるまでの時間を決定する。
【００４７】
デジタルテレビ受信機１００は、ステップＳ３１８により決定された移動体向けデジタル放送から固定向けデジタル放送に切り替えるまでの時間が経過した後に、移動体向けデジタル放送から固定向けデジタル放送に切り替える（ステップＳ３２０）。例えば、コントロール部１０６は、デジタル放送受信部１０４に、移動体向けデジタル放送から固定向けデジタル放送に切り替えることを示す切り替え情報と、切り替えるまでの時間とを入力する。デジタル放送受信部１０４は、入力された切り替え情報及び切り替えるまでの時間に従って、移動体向けデジタル放送から固定向けデジタル放送に切り替える。その後、ステップＳ３０２に戻る。
【００４８】
ステップＳ３１４において、受信電界強度が固定向けデジタル放送へ切り替える閾値以上であると判断されない場合（ステップＳ３１４：ＮＯ）、すなわち、受信電界強度が固定向けデジタル放送へ切り替える閾値未満であると判断された場合、ステップＳ３０２に戻る。
【００４９】
本実施例では、固定受信装置向けデジタル放送と移動体受信装置向けデジタル放送との間で、切り替えを行う場合の判断指標の一例として、受信電界強度を適用した場合について説明したが、受信品質を示す指標であれば、他の指標であっても良い。例えば、ビットエラーレート、C/N比(Carrier  vs.  Noise  Ratio)、変調誤差比(MER:  Modulation  Error  Ratio)を適用してもよい。
【００５０】
本実施例によれば、受信電界強度に基づいて、固定向けデジタル放送と移動体向けデジタル放送との間で切り替えるまでの時間を変更することができる。例えば、受信電界強度があるレベル以上である場合には、周囲の一瞬の状況の変化により受信状況が劣化して、固定向けデジタル放送から移動体向けデジタル放送に切り替わってしまっても早い時間（短い時間）で、移動体向けデジタル放送から固定向けデジタル放送に切り替えることが可能となる。このため、品質のよい固定受信装置向けのデジタル放送を長い時間視聴することができる。
【００５１】
また、地上波デジタルテレビジョン放送の放送局、例えば、テレビ放送タワーが近隣にあるような地域では、受信電界強度が常に高く、固定向けデジタル放送の視聴が可能である。しかし、周囲の状況、例えばビルなどの建物の影響や並走する車両の影響によっては、少しの間受信状況が悪くなることもあり、このような場合には、移動体向けデジタル放送に切り替えられる。しかし、その後の受信電界強度がある閾値以上であれば、これまで弱電界で設定されていた時間よりも短い時間で、固定向けデジタル放送に切り替えられる。このため、品質のよい固定向けデジタル放送の視聴が可能となる。
【００５２】
また、弱電界では、一旦受信状況が悪くなれば、少しくらい受信状況が良くなった程度では、移動体向けデジタル放送から固定受信装置向けデジタル放送へ切り替わることがないため、放送の頻繁な切り替えを低減でき、放送の頻繁な切り替えが生じることによりユーザに与える不快感を軽減できる。
【００５３】
説明の便宜上、発明の理解を促すため具体的な数値例を用いて説明されるが、特に断りのない限り、それらの数値は単なる一例に過ぎず適切な如何なる値が使用されてよい。
【００５４】
以上、本発明は特定の実施例を参照しながら説明されてきたが、各実施例は単なる例示に過ぎず、当業者は様々な変形例、修正例、代替例、置換例等を理解するであろう。説明の便宜上、本発明の実施例に係る装置は機能的なブロック図を用いて説明されたが、そのような装置はハードウエアで、ソフトウエアで又はそれらの組み合わせで実現されてもよい。本発明は上記実施例に限定されず、本発明の精神から逸脱することなく、様々な変形例、修正例、代替例、置換例等が包含される。
【図面の簡単な説明】
【００５５】
【図１】一実施例に係るデジタルテレビ受信機を示す機能ブロック図である。
【図２】一実施例に係る固定向けデジタル放送と移動体向けデジタル放送との間で切り替えを行うまでの時間の一例を示す説明図である。
【図３】一実施例に係るデジタルテレビ受信機の動作を示すフロー図である。
【符号の説明】
【００５６】
１００  デジタルテレビ受信機
１０２  電界測定部
１０４  デジタル放送受信部
１０６  コントロール部
２００  表示部
【図１】
2010103724.tif 000003
【図２】
2010103724.tif 000004
【図３】
2010103724.tif 000005